(57)【要約】【課題】フューエルインジェクタの給電回路の短絡を防止できる端子保護部材を提供する。【解決手段】端面から端子３が突出するインジェクタボディ１の外側面に形成された溝１０の全周にわたって密着可能なボディ用シールリップ１２と、端子３に接続すべき給電用ケーブル４の所定個所全周にわたって密着可能なケーブル用シールリップ１３と、端子３などがあるインジェクタボディ１の端部を覆う形状で且つ各シールリップ１２，１３の外縁部分全周に連なるカバー１４とを備え、シールリップ１２，１３によってインジェクタボディ１の端部を覆うカバー１４内方へオイルが入り込まないようにし、端子３などの給電回路部品の表面に対するダスト層の形成を抑止する。【選択図】        図１
2005016336.tif 000002
【特許請求の範囲】
【請求項１】
端面から端子が突出するインジェクタボディの側面所定部分全周にわたって密着可能なボディ用シールリップと、端子に接続すべきケーブルの所定個所全周にわたって密着可能なケーブル用シールリップと、インジェクタボディの端子が突出している端部を覆い得る形状で且つボディ用及びケーブル用のシールリップのそれぞれの外縁部分全周に連なるカバーとを備えてなることを特徴とする端子保護部材。
【発明の詳細な説明】
【０００１】
【発明の属する技術分野】
本発明はフューエルインジェクタに用いる端子保護部材に関するものである。
【０００２】
【従来の技術】
近年、ソレノイドにより作動する燃料弁を組み込んだフューエルインジェクタをディーゼルエンジンに装備し、エンジンの運転状態に応じてシリンダへの燃料噴射量やその噴射時期を制御することが実施されている。
【０００３】
図２並びに図３はフューエルインジェクタの上部構造を示すもので、シリンダヘッド内に配置されるインジェクタボディ１の上端面には、２つの台座２が設けられ、各台座２からは、ソレノイドへの給電回路となる端子（スタッドボルト）３がそれぞれ突出している。
【０００４】
また、各端子３には、給電用ケーブル４の端部に設けた接続金具５と座金６が順に外嵌しており、これらはナット７により端子３に締結されている。
更に、接続金具５や端子３などがシリンダヘッドに触れて短絡が生じることを回避するために、端子絶縁部材をインジェクタボディ１に取り付けている。
【０００５】
端子絶縁部材は、給電用ケーブル４が余裕をもって通る開口８を有し且つ端子３、接続金具５、ナット７を覆う形状のキャップ９と、該キャップ９に連なってインジェクタボディ１の上端部近傍外側面に形成された周方向に延びる溝１０に係合可能なフック１１とを備えている。
この端子絶縁部材の形成素材には、耐油性、及び耐熱性を有する非導電性材料を用いている。
【０００６】
【発明が解決しようとする課題】
ところがエンジンの運転時には、シリンダヘッド内がエンジンオイルのスプラッシュ及びミスト雰囲気となり、端子絶縁部材の開口８からキャップ９の内方に入り込んだオイルが、端子３、接続金具５、ナット７などの表面に付着してダスト層を形成し、また、構成部品隙間より内部回路へと浸入する。
【０００７】
このダスト層は、オイル中に混入した炭素や部品の摩耗粉（金属粉）などの導電性物質を含んでいるため、ダスト層の成長が進捗した場合と、一方の給電用ケーブル４に導通している端子３、接続金具５、ナット７などの給電回路部品と他方の給電用ケーブル４に導通している同様な給電回路部品とが、あるいは当該給電回路部品とシリンダヘッドとが、ダスト層の導電性物質により短絡することが懸念され、また、内部回路へ浸入したオイルは短絡を引き起こす媒体となる。
【０００８】
本発明は上述した実情に鑑みてなしたもので、フューエルインジェクタの給電回路の短絡を防止できる端子保護部材を提供することを目的としている。
【０００９】
【課題を解決するための手段】
上記目的を達成するため、本発明は、端面から端子が突出するインジェクタボディの側面所定部分全周にわたって密着可能なボディ用シールリップと、端子に接続すべきケーブルの所定個所全周にわたって密着可能なケーブル用シールリップと、インジェクタボディの端子が突出している端部を覆い得る形状で且つボディ用及びケーブル用のシールリップのそれぞれの外縁部分全周に連なるカバーとを備えている。
【００１０】
本発明では、ボディ用シールリップとケーブル用シールリップにより、端子が突出しているインジェクタボディの端部を覆うカバー内方へオイルが入り込まないようにし、端子などの給電回路部品の表面にダスト層が形成されることを抑止するとともに、内部回路へのオイルの浸入を遮断する。
【００１１】
【発明の実施の形態】
以下、本発明の実施の形態を、図示例と共に説明する。
図１は本発明の端子保護部材の実施の形態の一例を示すもので、この端子保護部材の装着対象となるフューエルインジェクタは、図２並びに図３に示すものと同等であり、図中、同一の符号を付した部分は同一物を表わしている。
【００１２】
端子保護部材は、インジェクタボディ１に形成された溝１０の全周にわたって密着可能なボディ用シールリップ１２と、端子３に接続すべき給電用ケーブル４の所定個所全周にわたって密着可能なケーブル用シールリップ１３と、端子３、接続金具５、ナット７などがあるインジェクタボディ１の端部を覆い得る形状で且つボディ用シールリップ１２及びケーブル用シールリップ１３の外縁部分全周に連なるカバー１４とを備えている。
【００１３】
この端子保護部材の形成素材には、耐油性、及び耐熱性を有する非導電性材料を用いている。
【００１４】
図１に示す端子保護部材では、ボディ用シールリップ１２とケーブル用シールリップ１３が、インジェクタボディ１の上端面を覆うカバー１４内方へのオイルの流入を防ぐので、端子３、接続金具５、ナット７などの給電回路部品の表面にダスト層が形成されない。
【００１５】
よって、一方の給電用ケーブル４に導通している端子３、接続金具５、ナット７などの給電回路部品と他方の給電用ケーブル４に導通している同様な給電回路部品との短絡を防止することができ、また、当該給電回路部品とシリンダヘッドとの短絡も防止することができる。
【００１６】
なお、本発明の端子保護部材は上述した実施の形態のみに限定されるものではなく、本発明の要旨を逸脱しない範囲において変更を加え得ることは勿論である。
【００１７】
【発明の効果】
以上述べたように、本発明の端子保護部材によれば、ボディ用シールリップとケーブル用シールリップにより、端子が突出しているインジェクタボディの端部を覆うカバー内方へオイルが入り込まないようにし、端子などの給電回路部品の表面に対するダスト層の形成を抑止するとともに、内部回路へのオイルの浸入を遮断するので、フューエルインジェクタの給電回路の短絡を確実に防止できる、という優れた効果を奏し得る。
【図面の簡単な説明】
【図１】本発明の端子保護部材の実施の形態の一例を示す断面図である。
【図２】従来の端子絶縁部材の実施の形態の一例を示す断面図である。
【図３】図１及び図２に関連するフューエルインジェクタの上部構造を示す部分斜視図である。
【符号の説明】
１    インジェクタボディ
３    端子
４    給電用ケーブル
１０  溝（側面所定部分）
１２  ボディ用シールリップ
１３  ケーブル用シールリップ
１４  カバー
【図１】
2005016336.tif 000003
【図２】
2005016336.tif 000004
【図３】
2005016336.tif 000005